(57)【要約】【課題】乗員が、情報の属性、および情報の緊急性を認識し易い表示を行う。【解決手段】映像を表示する表示器に、光を投射する複数の光源を備えた照射装置と、入力された情報の属性を判定する属性判定部と、入力された情報と、属性判定部が判定した入力された情報の属性に基づいて、表示器に表示する映像と、当該映像の表示器における表示領域を示す情報とを、映像信号として生成する映像生成部と、映像生成部が生成した映像信号に基づいて、表示器に映像を表示させる表示制御部と、属性判定部が判定した入力された情報の属性に応じて、複数の光源の点灯および消灯を制御する点灯制御部とを有する表示制御装置とを備える。【選択図】図１
2018169445.tif 000002
【特許請求の範囲】
【請求項１】
映像を表示する表示器に、光を投射する複数の光源を備えた照射装置と、
入力された情報の属性を判定する属性判定部と、前記入力された情報と、前記属性判定部が判定した前記入力された情報の属性に基づいて、前記表示器に表示する映像と、当該映像の前記表示器における表示領域を示す情報とを、映像信号として生成する映像生成部と、前記映像生成部が生成した映像信号に基づいて、前記表示器に映像を表示させる表示制御部と、前記属性判定部が判定した前記入力された情報の属性に応じて、前記複数の光源の点灯および消灯を制御する点灯制御部とを有する表示制御装置とを備えた表示システム。
【請求項２】
前記属性判定部は、前記入力された情報が、運転者に注意を促す警告情報、車両の走行状態を示す車両情報または車両の走行経路を案内する経路案内情報のいずれであるかに基づいて前記属性を判定し、
前記照射装置は、前記警告情報、前記車両情報または前記経路案内情報のうち、少なくともいずれか１つの情報を表示する前記表示器の領域に光を投影する光源と、その他の情報を表示する前記表示器の領域に光を投影する光源とが、それぞれ異なる光源が割り当てられて構成されていることを特徴とする請求項１記載の表示システム。
【請求項３】
前記点灯制御部は、前記属性判定部が判定した前記入力された情報の属性に応じて、前記光源の色域を調整する、または発光色の異なる前記光源の点灯の切り替えを行うことを特徴とする請求項１または請求項２記載の表示システム。
【請求項４】
前記属性判定部は、前記入力された情報に付加された優先度を示す情報を取得し、
前記点灯制御部は、前記属性判定部が取得した優先度を参照し、当該優先度が予め設定した閾値以上の前記入力された情報の前記映像信号を表示する前記表示領域に光を投影する光源を点灯させ、前記閾値未満の前記入力された情報の前記映像信号を表示する前記表示領域に光を投影する光源を消灯させることを特徴とする請求項１から請求項３のうちのいずれか１項記載の表示システム。
【請求項５】
前記点灯制御部は、前記映像生成部が前記映像信号を生成するタイミング、または前記映像信号を出力するタイミングに応じて、前記光源を点灯または消灯させる制御を行うことを特徴とする請求項１から請求項４のうちのいずれか１項記載の表示システム。
【請求項６】
前記映像生成部は、前記属性判定部が判定した前記入力された情報の属性に基づいて、前記表示器に予め設定された前記表示領域のうち、いずれの表示領域に前記映像を表示するかを決定することを特徴とする請求項１から請求項５記載の表示システム。
【請求項７】
入力された情報の属性を判定する属性判定部と、
前記入力された情報と、前記属性判定部が判定した前記入力された情報の属性に基づいて、表示器に表示する映像と、当該映像の前記表示器における表示領域を示す情報とを、映像信号として生成する映像生成部と、
前記映像生成部が生成した映像信号に基づいて、前記表示器に映像を表示させる表示制御部と、
前記属性判定部が判定した前記入力された情報の属性に応じて、前記複数の光源の点灯および消灯を制御する点灯制御部とを備えた表示制御装置。
【発明の詳細な説明】
【技術分野】
【０００１】
この発明は、車両内に映像を表示させる投射型の表示技術に関するものである。
【背景技術】
【０００２】
従来より、車両内の前方に映像を表示し、車両の乗員に各種情報を視認させる技術が提案されている。例えば、特許文献１に記載された車両用表示装置では、複数の表示領域毎に設けられた複数の光源を有し、複数の表示領域を個別に表示または非表示に設定することが可能であり、利用者によって表示内容の変更操作がなされると、表示領域に表示される表示項目が変更される。また、衝突の可能性または緊急性に応じた警報レベルに基づいて、警告の表示項目の割込み表示を行う。
【先行技術文献】
【特許文献】
【０００３】
【特許文献１】特開２０１１―９３４５４号公報
【発明の概要】
【発明が解決しようとする課題】
【０００４】
上記特許文献１に記載された技術では、複数の表示領域に個別に表示項目を表示し、警告の表示項目の割込み表示を行うことを可能にしているが、各表示領域の表示がどのような属性の情報であるか認識しにくく、また表示された情報の緊急性が高いか否かが認識しにくいという課題があった。
【０００５】
この発明は、上記のような課題を解決するためになされたもので、乗員が、情報の属性、および情報の緊急性を認識し易い表示を行うことを目的とする。
【課題を解決するための手段】
【０００６】
この発明による表示システムは、映像を表示する表示器に、光を投射する複数の光源を備えた照射装置と、入力された情報の属性を判定する属性判定部と、入力された情報と、属性判定部が判定した入力された情報の属性に基づいて、表示器に表示する映像と、当該映像の表示器における表示領域を示す情報とを、映像信号として生成する映像生成部と、映像生成部が生成した映像信号に基づいて、表示器に映像を表示させる表示制御部と、属性判定部が判定した入力された情報の属性に応じて、複数の光源の点灯および消灯を制御する点灯制御部とを有する表示制御装置とを備えるものである。
【発明の効果】
【０００７】
この発明によれば、乗員が、表示された情報の属性、および表示された情報の緊急性を容易に認識することができる。
【図面の簡単な説明】
【０００８】
【図１】実施の形態１に係る表示システムの構成を示すブロック図である。
【図２】図２Ａ、図２Ｂは、実施の形態１に係る表示システムのハードウェア構成例を示す図である。
【図３】図３Ａ、図３Ｂは、実施の形態１に係る表示システムの映像の表示例および光源の点灯状態を示す図である。
【図４】図４Ａ、図４Ｂは、実施の形態１に係る表示システムの映像の表示例および光源の点灯状態を示す図である。
【図５】実施の形態１に係る表示システムの動作を示すフローチャートである。
【図６】実施の形態１に係る表示システムの点灯制御部の光源の点灯を制御する動作を示すフローチャートである。
【図７】実施の形態１に係る表示システムの点灯制御部の光源の色域を変更する動作を示すフローチャートである。
【発明を実施するための形態】
【０００９】
実施の形態１．
図１は、実施の形態１に係る表示システム１００の構成を示すブロック図である。
表示システム１００は、表示制御装置２００および照射装置３００で構成されている。また、表示システム１００には、液晶表示器４００が接続されている。
表示制御装置２００は、照射装置３００および液晶表示器４００を制御する。表示制御装置２００は、照射装置３００が備える複数の光源の点灯または消灯を制御する。また、表示制御装置２００は、液晶表示器４００に出力する映像信号を生成し、生成した映像信号に基づいた情報の表示を制御する。
【００１０】
照射装置３００は、複数の光源を備え、当該光源は、例えばＬＥＤで構成される。液晶表示器４００は、表示システム１００から出力された映像信号が入力され、入力された映像信号に基づいた映像を表示する。照射装置３００の光源から投射された光は、液晶表示器４００に表示された映像を、フロントガラスまたはコンバイナ等に投影する。
【００１１】
表示制御装置２００は、情報取得部２０１、属性判定部２０２、映像生成部２０３、表示制御部２０４および点灯制御部２０５を備える。
情報取得部２０１は、表示システム１００が搭載された車両の警告情報、車両情報および経路案内情報を取得する。
警告情報は、運転者に注意を促す情報（例えば、障害物の接近、障害物との衝突、障害物の種類、障害物の到来方向、障害物までの距離等）等である。
情報取得部２０１は、取得した情報を属性判定部２０２および映像生成部２０３に出力する。
車両情報は、車両の走行に関する情報（例えば、車両の走行速度、車両の操舵角、およびシフト位置（「ドライブ」であるか、または「パーキング」であるか等）である。
経路案内情報は、車両に搭載されたナビゲーション装置から出力される車両の走行経路を案内する情報（例えば、現在地、目的地、現在地から目的地に至る経路の情報等）、および車両が走行中である場合に、目的地に至るまでの走行予定（例えば、残りの走行時間、走行距離、走行経路の状態（走行経路の道路種別、右左折、信号機の有無など））を特定する情報である。
【００１２】
属性判定部２０２は、情報取得部２０１から入力された情報が、警告情報であるか、車両情報であるか、または経路案内情報であるか、という情報の属性を判定する。属性判定部２０２は、判定結果を属性情報として取得する。属性判定部２０２は、属性情報を映像生成部２０３および点灯制御部２０５に出力する。
【００１３】
映像生成部２０３は、情報取得部２０１から入力された情報、および属性判定部２０２から入力された属性情報に基づいて、映像信号を生成する。映像生成部２０３は、液晶表示器４００に表示する映像と、当該映像の液晶表示器４００における表示領域を示す情報とを、映像信号として生成する。詳細は後述するが、液晶表示器４００における情報の表示領域は、情報の属性に基づいて予め設定されている。そのため、映像生成部２０３は、属性判定部２０２から入力された属性情報に基づいて、映像の表示領域を決定し、表示領域を示す情報を生成する。
【００１４】
映像生成部２０３は、例えば情報取得部２０１から車両の走行速度を示す情報が入力されると、属性判定部２０２から入力された属性情報も合わせて参照し、液晶表示器４００の車両情報を表示する領域に、走行速度をデジタル表示するための映像信号を生成する。
映像生成部２０３は、例えば情報取得部２０１から走行経路を２００ｍ先で左折する走行予定を特定する情報が入力されると、属性判定部２０２から入力された属性情報も合わせて参照し、液晶表示器４００の経路案内情報を表示する領域に、２００ｍ先で左折であることを表示する映像信号を生成する。
映像生成部２０３は、例えば情報取得部２０１から車両の左側に歩行者がいることを示す情報が入力されると、属性判定部２０２から入力された属性情報も合わせて参照し、液晶表示器４００の警告情報を表示する領域に、歩行者の接近を表示するための映像信号を生成する。
映像生成部２０３は、生成した映像信号を表示制御部２０４に出力する。表示制御部２０４は、映像生成部２０３から入力された映像信号に基づいて、情報を液晶表示器４００に表示するための制御を行う。
【００１５】
点灯制御部２０５は、属性判定部２０２から入力された属性情報を参照し、照射装置３００を構成する複数の光源の点灯または消灯を決定する。上述したように、映像の表示領域は、属性情報に応じて予め決定されていることから、点灯制御部２０５は、属性情報に基づいて、複数の光源のうち、どの光源を点灯させ、どの光源を消灯させるか決定する。
点灯制御部２０５は、映像生成部２０３をモニタし、映像信号を生成するタイミング、または映像信号が表示制御部２０４に出力されたタイミングに応じて、光源の点灯または消灯、および調整すべき光源の色域を示す情報を、制御条件として照射装置３００に出力する。即ち、照射装置３００は、液晶表示器４００に表示される映像と連動させて、光源を点灯または消灯させる。なお、液晶表示器４００は常時映像を表示し、照射装置３００の光源の点灯または消灯の制御により、映像を表示させる構成としてもよい。
【００１６】
照射装置３００は、点灯制御部２０５から入力される制御条件に基づいて、複数の光源を点灯または消灯させる。
【００１７】
上述した構成に加えて、属性判定部２０２は、情報が警告情報であると判定した場合に、当該警告情報に付加された優先度を示す情報を取得する構成としてもよい。属性判定部２０２は、属性情報および警告情報の優先度を、映像生成部２０３および点灯制御部２０５に出力する。
【００１８】
映像生成部２０３は、警告情報の優先度を参照し、当該優先度が予め設定した閾値以上である場合に、警告情報を表示する領域に警告を表示する映像信号のみを生成し、その他の領域に映像を表示する映像信号を生成しない構成とする。警告情報の優先度とは、例えば、警告情報が運転者に即座に対応を求める情報であるかの度合いに基づいて設定される値である。例えば、人の飛び出し等運転者が即座に対応する必要がある警告情報には最も高い優先度（例えば、「５」）が付加され、交通事故の多発地点等運転者に注意を促す警告情報には低い優先度（例えば「２」）が付加される。なお、上述した警告情報の優先度は一例であり、これに限定されるものではない。
【００１９】
点灯制御部２０５は、属性判定部２０２から入力された警告情報の優先度を参照し、当該優先度が予め設定した閾値以上である場合に、警告情報を表示する領域に対応した光源のみを点灯させ、他の領域に対応した光源は消灯させる。さらに、点灯制御部２０５は、優先度が予め設定した閾値以上である場合に、警告情報を表示する領域に対応した光源の色域を調整する。
照射装置３００は、点灯制御部２０５から入力される優先度に応じた制御条件に基づいて、複数の光源を点灯または消灯させる、または光源の色域を調整する。
なお、上述した映像生成部２０３および点灯制御部２０５による、警告情報の優先度に応じた処理は一例であり、適宜設定可能である。
【００２０】
次に、表示システム１００のハードウェア構成例を説明する。
図２Ａおよび図２Ｂは、表示システム１００のハードウェア構成例を示す図である。
表示システム１００における情報取得部２０１、属性判定部２０２、映像生成部２０３、表示制御部２０４および点灯制御部２０５の各機能は、処理回路により実現される。即ち、表示システム１００は、上記各機能を実現するための処理回路を備える。当該処理回路は、図２Ａに示すように専用のハードウェアである処理回路２００ａであってもよいし、図２Ｂに示すようにメモリ２００ｃに格納されているプログラムを実行するプロセッサ２００ｂであってもよい。
【００２１】
図２Ａに示すように、情報取得部２０１、属性判定部２０２、映像生成部２０３、表示制御部２０４および点灯制御部２０５が専用のハードウェアである場合、処理回路２００ａは、例えば、単一回路、複合回路、プログラム化したプロセッサ、並列プログラム化したプロセッサ、ＡＳＩＣ（Application Specific Integrated Circuit）、ＦＰＧＡ（Field-programmable Gate Array）、またはこれらを組み合わせたものが該当する。情報取得部２０１、属性判定部２０２、映像生成部２０３、表示制御部２０４および点灯制御部２０５の各部の機能それぞれを処理回路で実現してもよいし、各部の機能をまとめて１つの処理回路で実現してもよい。
【００２２】
図２Ｂに示すように、情報取得部２０１、属性判定部２０２、映像生成部２０３、表示制御部２０４および点灯制御部２０５がプロセッサ２００ｂである場合、各部の機能は、ソフトウェア、ファームウェア、またはソフトウェアとファームウェアとの組み合わせにより実現される。ソフトウェアまたはファームウェアはプログラムとして記述され、メモリ２００ｃに格納される。プロセッサ２００ｂは、メモリ２００ｃに記憶されたプログラムを読み出して実行することにより、情報取得部２０１、属性判定部２０２、映像生成部２０３、表示制御部２０４および点灯制御部２０５の各機能を実現する。即ち、情報取得部２０１、属性判定部２０２、映像生成部２０３、表示制御部２０４および点灯制御部２０５は、プロセッサ２００ｂにより実行されるときに、後述する図５から図７に示す各ステップが結果的に実行されることになるプログラムを格納するためのメモリ２００ｃを備える。また、これらのプログラムは、情報取得部２０１、属性判定部２０２、映像生成部２０３、表示制御部２０４および点灯制御部２０５の手順または方法をコンピュータに実行させるものであるともいえる。
【００２３】
ここで、プロセッサ２００ｂとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ２００ｃは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００２４】
なお、情報取得部２０１、属性判定部２０２、映像生成部２０３、表示制御部２０４および点灯制御部２０５の各機能について、一部を専用のハードウェアで実現し、一部をソフトウェアまたはファームウェアで実現するようにしてもよい。このように、表示システム１００における処理回路２００ａは、ハードウェア、ソフトウェア、ファームウェア、またはこれらの組み合わせによって、上述の各機能を実現することができる。
【００２５】
次に、表示システム１００の表示例について、図３および図４を参照しながら説明する。
図３および図４は、実施の形態１に係る表示システム１００の映像の表示例および光源の点灯状態を示す図である。
図３Ａおよび図４Ａはフロントガラスまたはコンバイナに投影される映像の表示例を示す図であり、図３Ｂおよび図４Ｂは図３Ａおよび図４Ａの映像の表示例に対応した照射装置３００の光源の点灯状態を示す図である。
図３Ａの映像の表示例５００では、左側警告情報の表示領域５０１、車両情報の表示領域５０２、経路案内情報の表示領域５０３、右側警告情報の表示領域５０４で構成されている。
左側警告情報の表示領域５０１および右側警告情報の表示領域５０４は、車両の左側および右側から人または自転車等の飛び出しを通知する映像を表示する領域である。車両情報の表示領域５０２は、車両の車速を示す映像を表示する領域である。経路案内情報の表示領域５０３は、車両を目的地へ誘導するための映像を表示する領域である。
【００２６】
表示する情報の属性に基づいて映像の表示領域は予め設定されており、図３Ａで示したように、液晶表示器４００における表示領域が予め設定されている。
詳細には、映像生成部２０３は、液晶表示器４００の各表示領域にどの映像を表示するのかを設定した情報を予め有しているものとする。映像生成部２０３は、属性判定部２０２から入力される属性情報に応じて、生成した映像信号を、液晶表示器４００のいずれの表示領域に表示するかを決定する。映像生成部２０３は、液晶表示器４００のいずれの表示領域に表示するかを示した情報を、映像信号に付加しておく。表示制御部２０４は、映像信号に付加された情報で示された表示領域に、映像を表示させる制御を行う。
【００２７】
情報の属性によって、情報が表示される位置が決定されるため、運転者は表示領域に応じてどのような情報であるか容易に認識することができる。また、警告情報を、図３Ａおよび図４Ａで示したように左右両端の表示領域に表示するように設定することにより、運転者は車両の左側に関する警告情報であるか、車両の右側に関する警告情報であるか容易に認識可能となる。運転者が警告情報を容易に認識することが可能であれば、運転者に咄嗟の判断が求められる状況であっても、運転者は警告情報に迅速に対応した操作を行うことができる。なお、上述した情報の表示領域は一例であり、適宜変更可能である。
【００２８】
さらに、図３Ａで示したように、映像生成部２０３は、属性判定部２０２から入力される属性情報に応じて、生成する映像信号の色を変化させてもよい。例えば、映像生成部２０３は、左側警告情報の表示領域５０１および右側警告情報の表示領域５０４に表示する映像信号を赤色の映像信号で生成し、車両情報の表示領域５０２および経路案内情報の表示領域５０３に表示する映像信号を青色の映像信号で生成する。警告情報の表示領域を、赤色の表示とすることにより、運転者が警告情報をより認識し易くなる。
【００２９】
図３Ｂの光源の点灯例５０５では、左側警告情報の表示領域５０１に光源が１個配置され、車両情報の表示領域５０２に光源が３個配置され、経路案内情報の表示領域５０３に光源が２個配置され、右側警告情報の表示領域５０４に光源が１個配置されている場合を示している。光源の配置数は、各表示領域の輝度が一定となるように、各表示領域の面積に応じて決定される。図３Ｂの点灯例５０５では、全ての光源が白色の色域で点灯している場合を示している。
【００３０】
図４Ａの映像の表示例５００ａも同様に、紙面左から、左側警告情報の表示領域５０１、車両情報の表示領域５０２、経路案内情報の表示領域５０３、右側警告情報の表示領域５０４で構成されている。
図４Ｂの光源の点灯例５０５ａの光源の配置は、図３Ｂの光源の配置と同一である。ただし、図４Ｂでは警告情報の優先度を考慮して照射装置３００の光源の色域を調整した場合を示しており、左側警告情報の表示領域５０１の１個の光源が赤色の色域で点灯し、その他の光源が全て消灯した場合を示している。図４Ｂで示した光源の点灯により、図４Ａの映像の表示例５００ａは、図３Ａの映像の表示例５００よりも、左側警告情報の表示領域５０１の赤色が濃く表示される。赤色を強調した表示とすることにより、運転者が認知し易くなる。
【００３１】
また、図４Ａの映像の表示例５００ａでは、車両情報の表示領域５０２、経路案内情報の表示領域５０３、右側警告情報の表示領域５０４には映像を表示せず、優先度が高い情報のみを表示することができる。これにより、運転者は表示された情報を認識し易くなる。
【００３２】
図３および図４では、点灯制御部２０５が、警告情報の優先度に応じて左側警告情報の表示領域５０１に対応する光源の色域を調整する場合を示したが、警告情報の優先度に応じて左側警告情報の表示領域５０４に対応する光源の色域を調整してもよい。また、光源の色域を調整するのは１つの表示領域に限定されるものではなく、左側警告情報の表示領域５０１および左側警告情報の表示領域５０４に対応する光源の色域を同時に調整してもよい。
【００３３】
次に、表示システム１００の動作について説明する。
図５は、実施の形態１に係る表示システム１００の動作を示すフローチャートである。
なお、以下の説明では、警告情報に警告の優先度を示す情報が付加されており、当該優先度に応じた制御を行う場合を例に説明する。
情報取得部２０１が情報を取得すると（ステップＳＴ１）、属性判定部２０２はステップＳＴ１で取得された情報の属性を判定する（ステップＳＴ２）。属性判定部２０２は、ステップＳＴ２の判定結果を参照し、警告情報が含まれているか否か判定を行う（ステップＳＴ３）。警告情報が含まれていない場合（ステップＳＴ３；ＮＯ）、ステップＳＴ５に進む。一方、警告情報が含まれている場合（ステップＳＴ３；ＹＥＳ）、属性判定部２０２は、当該警告情報に付加された優先度を示す情報を取得する（ステップＳＴ４）。
【００３４】
情報取得部２０１は、ステップＳＴ２で判定した属性情報と、ステップＳＴ４で取得した警告情報の優先度を示す情報とを、映像生成部２０３および点灯制御部２０５に出力する（ステップＳＴ５）。なお、警告情報が含まれていない場合、ステップＳＴ５では、情報取得部２０１はステップＳＴ２で判定した属性得情報のみ映像生成部２０３および点灯制御部２０５に出力する。映像生成部２０３は、ステップＳＴ１で取得された情報、およびステップＳＴ５で出力された属性情報と警告情報の優先度とに基づいて、映像信号を生成し、表示制御部２０４に出力する（ステップＳＴ６）。表示制御部２０４は、ステップＳＴ６で生成された映像信号に基づいて、液晶表示器４００の表示を制御する（ステップＳＴ７）。
【００３５】
ステップＳＴ６およびステップＳＴ７の処理と並行して、点灯制御部２０５は、ステップＳＴ５で出力された属性情報、または属性情報と警告情報の優先度とに基づいて、照射装置３００の制御条件を決定し、照射装置３００に出力する（ステップＳＴ８）。照射装置３００は、ステップＳＴ８で決定された制御条件に基づいて光源の点灯、消灯および色域の調整を制御する（ステップＳＴ９）。ステップＳＴ７およびステップＳＴ９の処理が終了すると、フローチャートはステップＳＴ１の処理に戻り、上述した処理を繰り返す。
【００３６】
次に、ステップＳＴ８の処理の詳細について、図６のフローチャートを参照しながら説明する。
図６は、実施の形態１に係る表示システム１００の点灯制御部２０５が光源の点灯を制御する動作を示すフローチャートである。
点灯制御部２０５は、図５のフローチャートのステップＳＴ５で入力された属性情報および警告情報の優先度とを参照し、警告情報が含まれているか否か判定を行う（ステップＳＴ１１）。警告情報が含まれている場合（ステップＳＴ１１；ＹＥＳ）、点灯制御部２０５は警告情報を表示する領域に対応した光源の点灯フラグをＯＮする（ステップＳＴ１２）。点灯制御部２０５は、警告情報の優先度を参照し、優先度が予め設定された閾値以上であるか否か判定を行う（ステップＳＴ１３）。優先度が閾値以上である場合（ステップＳＴ１３；ＹＥＳ）、ステップＳＴ１７の処理に進む。
【００３７】
一方、警告情報でない場合（ステップＳＴ１１；ＮＯ）、または優先度が閾値未満である場合（ステップＳＴ１３；ＮＯ）、点灯制御部２０５は、属性情報を参照し、経路案内情報が含まれているか否か判定を行う（ステップＳＴ１４）。経路案内情報が含まれていない場合（ステップＳＴ１４；ＮＯ）、ステップＳＴ１６の処理に進む。
【００３８】
一方、経路案内情報が含まれている場合（ステップＳＴ１４；ＹＥＳ）、点灯制御部２０５は経路案内情報を表示する領域に対応した光源の点灯フラグをＯＮする（ステップＳＴ１５）。点灯制御部２０５は、車両情報を表示する領域に対応した光源の点灯フラグをＯＮする（ステップＳＴ１６）。点灯制御部２０５は、映像生成部２０３をモニタし映像信号が生成されたタイミングで、点灯フラグ情報を制御条件として照射装置３００に出力する（ステップＳＴ１７）。その後、点灯制御部２０５は全ての点灯フラグをＯＦＦする（ステップＳＴ１８）。その後、図５のフローチャートで示したステップＳＴ９の処理に進む。
【００３９】
上述した図６のフローチャートにおいて、警告情報の優先度が閾値以上である場合に（ステップＳＴ１３）、点灯制御部２０５が光源の色域を変更する処理を図７のフローチャートを参照しながら説明する。
図７は、実施の形態１に係る表示システム１００の点灯制御部２０５が光源の色域を変更する動作を示すフローチャートである。
なお、以下では図６で示した点灯制御部２０５の動作と同一のステップには図６で使用した符号と同一の符号を付し、説明を省略または簡略化する。
【００４０】
警告情報の優先度が閾値以上である場合に（ステップＳＴ１３；ＹＥＳ）、点灯制御部２０５は、優先度に応じて光源の色域を決定する（ステップＳＴ１３ａ）。ステップＳＴ１３ａの処理として、例えば、点灯制御部２０５は、優先度が閾値以上である場合に光源の色域を赤系に設定し、さらに優先度に応じて赤系の色の濃淡を調整して決定する。点灯制御部２０５は、優先度がより高くなるほど、赤系の色が濃くなるように調整する。点灯制御部２０５は、点灯フラグ情報として、ステップＳＴ１３ａで決定した光源の色域も含めた点灯フラグ情報を制御条件として照射装置３００に出力する（ステップＳＴ１７）。その後、フローチャートはステップＳＴ１８の処理に進む。
【００４１】
以上のように、この実施の形態１によれば、映像を表示する透過型の液晶表示器４００に、光を投射する複数の光源を備えた照射装置３００と、外部から入力された情報の属性を判定する属性判定部２０２と、情報の属性に応じて、液晶表示器４００に表示する映像を生成する映像生成部２０３と、生成された映像信号に基づいて、液晶表示器４００に映像を表示させる表示制御部２０４と、情報の属性に応じて、複数の光源の点灯および消灯を制御する点灯制御部２０５とを有する表示制御装置２００とを備えるように構成したので、乗員は、表示情報の属性および緊急性を容易に認識することができる。
【００４２】
また、この実施の形態１によれば、属性判定部２０２が入力された情報の優先度を取得し、点灯制御部２０５は、優先度を参照し、当該優先度が高い情報の映像を表示する液晶表示器４００の領域に光を投影する光源を点灯させ、その他の情報の映像を表示する液晶表示器４００の領域に光を投影する光源を消灯させるように構成したので、優先度が高い情報のみを表示することができ、乗員は表示された情報を容易に認識することができる。また、映像を表示していない領域に対応した光源の消費電力を軽減することができる。
【００４３】
なお、上述した実施の形態１では、照射装置３００の光源の色域を調整することにより、例えば赤色を強調した表示を行う場合を示したが、表示色の変更は光源の色域の調整に限定されるものではない。照射装置３００が、ある表示領域に投射する光源を、白色の光源および赤色の光源の双方を備える構成とし、点灯させる光源を、白色と赤色とで切り替えることにより、表示色を変更してもよい。
【００４４】
なお、上述した実施の形態１では、映像生成部２０３は、情報取得部２０１から情報が入力されると、順次映像を生成して表示制御部２０４に出力する構成を示した。これに替えて、映像生成部２０３は、予め映像を生成しておき、情報取得部２０１から入力された情報に応じて映像を選択し、表示制御部２０４に出力してもよい。
【００４５】
なお、本願発明はその発明の範囲内において、実施の形態の任意の構成要素の変形、もしくは実施の形態の任意の構成要素の省略が可能である。
【符号の説明】
【００４６】
１００  表示システム、２００  表示制御装置、２０１  情報取得部、２０２  属性判定部、２０３  映像生成部、２０４  表示制御部、２０５  点灯制御部、３００  照射装置、４００  液晶表示器。
【図１】
2018169445.tif 000003
【図２】
2018169445.tif 000004
【図３】
2018169445.tif 000005
【図４】
2018169445.tif 000006
【図５】
2018169445.tif 000007
【図６】
2018169445.tif 000008
【図７】
2018169445.tif 000009